(57)【要約】  鞍乗り型車両に横置きに搭載される内燃機関において、クランクケース(23)の内部に支持されるクランク軸(22)の軸端部に設けられたＡＣジェネレータ(40)が、ＡＣＧカバー(50)により車幅方向の外側から覆われ、ＡＣＧカバー(50)には、同ＡＣＧカバー(50)への送電線(43)を覆う送電線カバー膨出部(53)が、車幅方向の外側方に膨出して形成され、送電線カバー膨出部(53)の車両前後方向における後方にクランク角センサ(45)が配置される。これにより、部品点数が増すことなく、内燃機関の重量増を避けて、クランク角センサを飛石等から保護することができる。
2019049447.tif 000002
【特許請求の範囲】
【請求項１】
クランク軸(22)が車幅方向に指向してクランクケース(23)に軸支される状態で鞍乗り型車両に横置きに搭載される内燃機関において、
前記クランク軸(22)の前記クランクケース(23)を貫通して突出した一方の軸端部にＡＣジェネレータ(40)が設けられ、
前記ＡＣジェネレータ(40)がＡＣＧカバー(50)により車幅方向の外側から覆われ、
前記ＡＣジェネレータ(40)から延出する送電線(43)が、前記ＡＣＧカバー(50)の車幅方向の外側方に膨出して形成された送電線カバー膨出部(53)により覆われ、
前記クランク軸(22)の回転角度を検出するクランク角センサ(45)が、前記送電線カバー膨出部(53)の車両前後方向における後方に配置されることを特徴とする内燃機関。
【請求項２】
前記クランク角センサ(45)は、近接センサであり、
前記クランク角センサ(45)は、前記クランク軸(22)のクランク軸中心(Cc)に向く姿勢で前記ＡＣＧカバー(50)の内側に嵌挿され、
前記ＡＣジェネレータ(40)は、前記クランク軸(22)と一体に回転するアウタロータ(41)の周方向に複数の被検出突起(41t)を備えた外周面を備え、
前記クランク角センサ(45)は、前記アウタロータ(41)の外周面に検出部(45s)を臨ませて、前記ＡＣＧカバー(50)に取り付けられることを特徴とする請求項１記載の内燃機関。
【請求項３】
前記クランク角センサ(45)は、前記送電線カバー膨出部(53)の車幅方向の最外側部(53e)よりも車幅方向の内側に配置されることを特徴とする請求項１または請求項２記載の内燃機関。
【請求項４】
前記クランク角センサ(45)は、前記クランク軸(22)のクランク軸中心(Cc)よりも高い位置に配置されることを特徴とする請求項１ないし請求項３のいずれか１項記載の内燃機関。
【請求項５】
スタータモータ(60)が、そのモータ出力軸(61)を前記クランク軸(22)に平行にして前記クランクケース(23)に取り付けられ、
前記クランク角センサ(45)が前記ＡＣＧカバー(50)に嵌挿される方向(Ls)は、前記クランク軸(22)のクランク軸中心(Cc)と前記モータ出力軸(61)の出力軸中心(Cm)とを結ぶ直線(Lm)に対して鋭角度をなすことを特徴とする請求項４記載の内燃機関。
【請求項６】
前記モータ出力軸(61)と前記クランク軸(22)との間に回転を減速して伝達する減速ギヤ機構(62)が設けられ、
前記ＡＣＧカバー(50)は、前記減速ギヤ機構(62)を覆うカバー部分(52)も一体に形成されることを特徴とする請求項５記載の内燃機関。
【請求項７】
前記内燃機関(21)の冷却系の少なくとも１本の冷却水ホース(87)が、前記クランク角センサ(45)よりも車幅方向外側に配設されることを特徴とする請求項１ないし請求項６のいずれか１項記載の内燃機関。
【請求項８】
前記冷却水ホース(87)が、側面視で前記クランク角センサ(45)の少なくとも一部と重なることを特徴とする請求項７記載の内燃機関。
【発明の詳細な説明】
【技術分野】
【０００１】
本発明は、車両に搭載される内燃機関であってクランク軸の回転角度を検出するクランク角センサを備えた内燃機関に関する。
【背景技術】
【０００２】
クランク軸とともに一体に回転する回転体の外周に設けられた多数の被検出部としての突起が設けられ、これらの突起を、クランク角センサが検知することで、クランク軸の回転角度を検出することが知られている（特許文献１参照）。
【先行技術文献】
【特許文献】
【０００３】
【特許文献１】日本国特開２００５−３０３１１号公報
【０００４】
特許文献１には、車幅方向に指向したクランク軸を回転自在に軸支するロアブロック（クランクケースに相当）に、クランク角センサが前方から嵌挿されて取り付けられる構造が開示されている。
クランク角センサは、ロアブロックを貫通して先端検出部を回転体の外周面に臨む位置で、基端側を外部に突出して取り付けられている。【０００５】
クランク角センサは、このようにロアブロックより前方に突設されているので、クランク角センサの前方はコンプレッサを支持するブラケットに覆われるようにして、飛石等からクランク角センサを保護している。
【発明の概要】
【発明が解決しようとする課題】
【０００６】
特許文献１に記載の構造では、ロアブロックの前方にコンプレッサが配置されるので、飛石等からクランク角センサを保護する遮蔽部材としてコンプレッサを支持するブラケットを利用している。【０００７】
しかし、鞍乗り型車両に搭載される内燃機関においては、クランクケースの外周りにおける補機等の配置には制約があり、クランク軸の周りに配設されるクランク角センサを飛石等から保護するのに補機等を利用することが難しく、そのため、特別に新たな遮蔽部材が必要となり、部品点数が増すことになる。【０００８】
本発明は、かかる点に鑑みなされたもので、その目的とする処は、部品点数が増すことなく、内燃機関の重量増を避けて、クランク角センサを飛石等から保護することができる内燃機関を供する点にある。
【課題を解決するための手段】
【０００９】
上記目的を達成するために、本発明は、クランク軸が車幅方向に指向してクランクケースに軸支される状態で鞍乗り型車両に横置きに搭載される内燃機関において、前記クランク軸の前記クランクケースを貫通して突出した一方の軸端部にＡＣジェネレータが設けられ、前記ＡＣジェネレータがＡＣＧカバーにより車幅方向の外側から覆われ、前記ＡＣジェネレータから延出する送電線が、前記ＡＣＧカバーの車幅方向の外側方に膨出して形成された送電線カバー膨出部により覆われ、前記クランク軸の回転角度を検出するクランク角センサが、前記送電線カバー膨出部の車両前後方向における後方に配置されることを特徴とする内燃機関を提供する。【００１０】
この構成によれば、ＡＣジェネレータを車幅方向の側方から覆うＡＣＧカバーがＡＣジェネレータから延出する送電線を覆う送電線カバー膨出部を備えており、同送電線カバー膨出部の車両前後方向における後方に、クランク軸の回転角度を検出するクランク角センサが配置されるので、部品点数を増すことなく、内燃機関の重量増を避けて、既存のＡＣＧカバーの送電線カバー膨出部によりクランク角センサを飛石等から保護することができる。【００１１】
本発明の好適な実施形態においては、前記クランク角センサは、近接センサであり、前記クランク角センサは、前記クランク軸のクランク軸中心に向く姿勢で前記ＡＣＧカバーの内側に嵌挿され、前記ＡＣジェネレータは、前記クランク軸と一体に回転するアウタロータの周方向に複数の被検出突起を備えた外周面を備え、前記クランク角センサは、前記アウタロータの外周面に検出部を臨ませて、前記ＡＣＧカバーに取り付けられる。【００１２】
この構成によれば、クランク角センサは、近接センサで、クランク軸のクランク軸中心に向けてＡＣＧカバーに嵌挿されて、ＡＣジェネレータのアウタロータの外周面に検出部を臨ませてＡＣＧカバーに取り付けられるので、ＡＣＧカバーの送電線カバー膨出部の後方に送電線カバー膨出部に近づけてクランク角センサをコンパクトに配置することができる。
クランク角センサは、近接センサであり、非接触センサであるので、組付け性が良い。【００１３】
本発明の好適な実施形態においては、前記クランク角センサは、前記送電線カバー膨出部の車幅方向の最外側部よりも車幅方向の内側に配置される。【００１４】
この構成によれば、クランク角センサは、ＡＣＧカバーの送電線カバー膨出部の車幅方向の最外側部よりも車幅方向の内側に配置されるので、クランク角センサの前方はＡＣＧカバーの送電線カバー膨出部により十分幅広に覆われ、前方からの飛石等からクランク角センサを確実に保護することができる。【００１５】
本発明の好適な実施形態においては、前記クランク角センサは、前記クランク軸のクランク軸中心よりも高い位置に配置される。【００１６】
この構成によれば、クランク角センサは、クランク軸のクランク軸中心よりも高い位置に配置されるので、前輪が跳ね上げ斜め後方に飛ぶ小石等はＡＣＧカバーが遮蔽してクランク角センサを保護することができる。【００１７】
本発明の好適な他の実施形態においては、スタータモータが、そのモータ出力軸を前記クランク軸に平行にして前記クランクケースに取り付けられ、前記クランク角センサが前記ＡＣＧカバーに嵌挿される方向は、前記クランク軸のクランク軸中心と前記モータ出力軸の出力軸中心とを結ぶ直線に対して鋭角度をなす。【００１８】
この構成によれば、クランク角センサが前記ＡＣＧカバーに嵌挿される方向が、クランク軸のクランク軸中心とクランクケースに取り付けられるスタータモータのモータ出力軸の出力軸中心とを結ぶ直線に対して鋭角度をなすので、クランク角センサとスタータモータを互いに近づけて配置することができ、内燃機関全体のコンパクト化を図ることができる。【００１９】
本発明の好適なさらに他の実施形態においては、前記モータ出力軸と前記クランク軸との間に回転を減速して伝達する減速ギヤ機構が設けられ、前記ＡＣＧカバーは、前記減速ギヤ機構を覆うカバー部分も一体に形成される。【００２０】
この構成によれば、ＡＣＧカバーは、スタータモータによる始動系の減速ギヤ機構を覆うカバー部分も一体に形成されるので、ＡＣＧカバーは一部品でＡＣジェネレータとともに減速ギヤ機構も覆い、部品点数を削減することができる。【００２１】
本発明の好適な実施形態においては、前記内燃機関の冷却系の少なくとも１本の冷却水ホースが、前記クランク角センサよりも車幅方向外側に配設される。【００２２】
この構成によれば、内燃機関の冷却系の少なくとも１本の冷却水ホースが、クランク角センサよりも車幅方向外側に配設されるので、車幅方向外側からの飛石等は冷却水ホースにより略遮蔽されてクランク角センサを保護することができる。【００２３】
本発明の好適な実施形態においては、前記冷却水ホースが、側面視で前記クランク角センサの少なくとも一部と重なる。【００２４】
この構成によれば、冷却水ホースが、側面視でクランク角センサの少なくとも一部と重なるので、側方からの飛石等は冷却水ホースにより遮蔽されてクランク角センサを略確実に保護することができる。
【発明の効果】
【００２５】
本発明は、ＡＣジェネレータを車幅方向の側方から覆うＡＣＧカバーがＡＣジェネレータから延出する送電線を覆う送電線カバー膨出部を備えており、同送電線カバー膨出部の車両前後方向における後方にクランク軸の回転角度を検出するクランク角センサが配置されるので、補機の支持部材等を利用せずに、部品点数を増すことなく既存のＡＣＧカバーの送電線カバー膨出部によりクランク角センサを飛石等から保護することができる。
【図面の簡単な説明】
【００２６】
【図１】本発明の一実施の形態に係る内燃機関を搭載した自動二輪車の全体側面図である。
【図２】同自動二輪車に搭載された内燃機関（パワーユニット）の左側面図である。
【図３】同内燃機関の出力スプロケットカバーを外した左側面図である。
【図４】同内燃機関のＡＣＧカバーと出力スプロケットカバーを外した左側面図である。
【図５】同内燃機関のＡＣジェネレータおよびその周辺の断面図である。
【図６】同内燃機関のクランク角センサを外した要部斜視図である。
【図７】同内燃機関のクランク角センサを取り付けた要部斜視図である。
【図８】同内燃機関のＡＣＧカバーを省略した要部斜視図である。
【発明を実施するための形態】
【００２７】
以下、本発明に係る一実施の形態について図面を参照して説明する。
図１は、本発明を適用した一実施の形態に係る内燃機関を搭載した鞍乗型車両である自動二輪車１の側面図である。
なお、本明細書の説明において、前後左右の向きは、本実施の形態に係る内燃機関を搭載した自動二輪車１の直進方向を前方とする通常の基準に従うものとし、図面において、ＦＲは前方を，ＲＲは後方を、ＬＨは左方を，ＲＨは右方を示すものとする。
【００２８】
図１において、鞍乗型自動二輪車１の車体フレーム２は、ヘッドパイプ３から左右に分かれてメインフレーム４が後方に延出し、その後部のセンターフレーム部４ｃが下方に屈曲している。また、ヘッドパイプ３から後方斜め下向きにダウンフレーム５が延出している。メインフレーム４のセンターフレーム部４ｃの上部屈曲部より前寄りから後方斜め上方にシートレール６が延設されている。
【００２９】
ヘッドパイプ３によって操向可能に支承されたフロントフォーク７の下端に前輪９が軸支され、フロントフォーク７にはステアリングハンドル８が連結されている。
また、センターフレーム部４ｃにピボット軸10により前端を軸支されたリアフォーク11が後方に延び、その後端に軸支された後輪12が上下に揺動自在に設けられている。
【００３０】
自動二輪車１の車体フレーム２に搭載されるパワーユニット20は、図２に示されるように、内燃機関21のクランクケース23内の後部に変速機31を一体に収容して構成されたもので、パワーユニット20は、メインフレーム４の前側のダウンフレーム５とメインフレーム４に懸架されている。
パワーユニット20の上方には燃料タンク13がメインフレーム４に架設され、燃料タンク13の後方にシート14がシートレール６に支持されて設けられている。
【００３１】
内燃機関21は、水冷直列４気筒の４ストロークサイクル内燃機関であり、そのクランク軸22を車幅方向（左右方向）に指向させて自動二輪車１に搭載されている。
図２を参照して、クランク軸22を回転自在に軸支するクランクケース23の上に、シリンダ軸線を若干前傾させて、シリンダブロック24およびシリンダヘッド25が順次重ねられるように起立した姿勢で締結され、シリンダヘッド25の上にシリンダヘッドカバー26が被せられている。
【００３２】
内燃機関21の前傾したシリンダヘッド25から上方に吸気管27が延出し、エアクリーナ27Aに接続されている（図１参照）。
また、シリンダヘッド25から前方に延出した排気管28は、下方へ曲がり、さらに後方へ延びて後部のマフラー28Ｍに接続されている（図１参照）。
【００３３】
図４を参照して、内燃機関21のクランクケース23は、上下割りの上側クランクケース23Ｕと下側クランクケース23Ｌからなり、上側クランクケース23Ｕと下側クランクケース23Ｌの左右軸受壁の合わせ面にクランク軸22が軸支されている。変速機31の左右方向に指向したメイン軸32とカウンタ軸33のうちカウンタ軸33もクランク軸22の後方で上側クランクケース23Ｕと下側クランクケース23Ｌの左右軸受壁の合わせ面に軸支されている。
【００３４】
変速機31のメイン軸32は、カウンタ軸33の上方で若干前寄りに位置して上側クランクケース23Ｕに軸支されている。
変速機31は、メイン軸32に軸支された変速駆動ギヤ群とカウンタ軸33に軸支された変速被動ギヤ群とが変速比ごとに常時噛合している。
【００３５】
カウンタ軸33は、パワーユニット20の出力軸であり、左側軸受壁を貫通して左方に突出しており、その左端部に出力スプロケット34が嵌着されており、出力スプロケット34を左側から出力スプロケットカバー58が覆っている（図２参照）。
【００３６】
図１を参照して、出力スプロケット34は、センターフレーム部４ｃのリアフォーク11を枢支するピボット軸10の前方近い位置に配設され、同出力スプロケット34と後輪12の後車軸に嵌着された従動スプロケット35との間に駆動チェーン36が巻き掛けられ、パワーユニット20の出力が駆動チェーン36を介して後輪12に伝達されて自動二輪車１が走行する。
【００３７】
図５を参照して、クランクケース23のクランク軸22を軸支する左右軸受壁のうち左側軸受壁23Wを貫通したクランク軸22の左端部にはＡＣジェネレータ40が設けられ、この左方に突設されたＡＣジェネレータ40を左側からＡＣＧカバー50が覆っている。
【００３８】
図５に示されるように、ＡＣジェネレータ40は、クランク軸22の左端部に椀状をしたアウタロータ41が嵌着され、アウタロータ41の内周面に周設された磁石41ｍの内側に、発電コイル42ｃを備えたインナステータ42が、ＡＣジェネレータ40に左方から被せられたＡＣＧカバー50に支持されて配設される。
ＡＣジェネレータ40のアウタロータ41は、その外周面に周方向に等間隔に複数の被検出突起41ｔが突出形成されている。被検出突起41ｔは図８にも示されている。
【００３９】
図４を参照して、クランクケース23のクランク軸22を軸支する左側軸受壁23Wは、ＡＣジェネレータ40に対向する円形壁部23Wａを有するとともに、同円形壁部23Wａから上方に若干後方に斜めに傾いた方向に延出した延出壁部23Ｗｂを備えている。
延出壁部23Ｗｂは、円形壁部23Wａから先細に延出して三角形状をなしており、前傾したシリンダブロック24に対して後傾して、シリンダブロック24より左側に位置している。
【００４０】
この三角形状をなす延出壁部23Ｗｂの右側側面にスタータモータ60が当接されてクランクケース23の上面に配置されている。
スタータモータ60は、モータ出力軸61がクランク軸22と平行で左右車幅方向に指向しており、左方に突出したモータ出力軸61が延出壁部23Ｗｂの先細となった上部を左方に貫通している。
【００４１】
図４を参照して、モータ出力軸61はピニオンギヤ61ｐが形成されており、延出壁部23Ｗｂの中央に軸支されたアイドル軸63に大径ギヤ64と小径ギヤ65が一体に設けられる。大径ギヤ64にはモータ出力軸61のピニオンギヤ61ｐが噛合し、小径ギヤ65はクランク軸22に一方向クラッチを介して設けられた大径の従動ギヤ66に噛合することにより減速ギヤ機構62が構成され、同減速ギヤ機構62は延出壁部23Ｗｂの左側面に沿って配設されている。
したがって、始動時にスタータモータ60のモータ出力軸61の回転が、減速ギヤ機構62を介してクランク軸22を強制的に回転して内燃機関21を始動する。
【００４２】
図４および図５に示されるように、クランクケース23の左側軸受壁23Wには、ＡＣジェネレータ40と減速ギヤ機構62の周囲を覆うように周壁23Ｖが左方に突出して形成されている。
ＡＣジェネレータ40は、減速ギヤ機構62より左方に大きく突出しており、周壁23Ｖは減速ギヤ機構62より左方に突出しているが、図８に示されるように、ＡＣジェネレータ40は周壁23Ｖにより一部が覆われる程度である。
【００４３】
図４を参照して、クランクケース23の周壁23Ｖの左端面は、ＡＣＧカバー50との合せ面23Ｖｆ（図４で散点模様が施されている）であり、周壁23Ｖには、合せ面23Ｖｆにボルト穴を有する締結ボス部23Ｖｂが複数形成されている。
三角形状の先細に延出する延出壁部23Ｗｂの、三角形の前後の２辺のうち後辺の後側周壁部23Ｖｒの上部には、スタータモータ60のモータ出力軸61の後方の部分が合せ面23Ｖｆから切り欠かれ、この切欠きにグロメット44が半分嵌合される。
【００４４】
図４において、ＡＣジェネレータ40のインナステータ42の発電コイル42ｃから３相送電線43が上方に延出している。
３相送電線43は、ＡＣジェネレータ40のインナステータ42の左側面の斜め後上部から上方に延出し、アウタロータ41の外周面に沿って右方の減速ギヤ機構62側に延び、さらに減速ギヤ機構62の後部の左側面に沿い、かつグロメット44が嵌合される後側周壁部23Ｖｒの前方を後側周壁部23Ｖｒに沿って上方に配線された後、後側周壁部23Ｖｒの切欠きに嵌合されたグロメット44を貫通して外部に延出する。
【００４５】
図８に示すクランクケース23の周壁23Ｖの内側に配設されたＡＣジェネレータ40と減速ギヤ機構62を、ＡＣＧカバー50は、図６に示されるように左側から覆う。
ＡＣＧカバー50は、ＡＣジェネレータ40の外周および側方を覆うジェネレータカバー部51と減速ギヤ機構62の側方を覆うギヤカバー部52とが一体に形成されている。
【００４６】
ジェネレータカバー部51は、ＡＣジェネレータ40の外周を覆う周壁部51ｒとＡＣジェネレータ40の左側方を覆う円形状の側壁部51ｓとからなり、ギヤカバー部52は減速ギヤ機構62の前後を覆う周壁部52ｒと減速ギヤ機構62の左側方を覆う三角形状の側壁部52ｓとからなる。
【００４７】
ジェネレータカバー部51の周壁部51ｒとギヤカバー部52の周壁部52ｒとは、連続して閉じた環状の周壁をなし、同周壁はクランクケース23の周壁23Ｖに対応し、周壁23Ｖの合せ面23Ｖｆ（図８）と合致する合せ面を有する。
【００４８】
ＡＣＧカバー50の周壁部51ｒ，52ｒには、クランクケース23の周壁23Ｖに形成された複数の締結ボス部23Ｖｂにそれぞれ対向する取付ボス部50ｒｂ（図６、図７）が形成されており、締結ボス部23Ｖｂと取付ボス部50ｒｂを締結ボルト55により締結して、クランクケース23にＡＣＧカバー50が取り付けられる。
【００４９】
ＡＣジェネレータ40は、減速ギヤ機構62より左方に突設されているので、ジェネレータカバー部51の側壁部51ｓは、ギヤカバー部52の側壁部52ｓより左方に変位した位置にある。
ギヤカバー部52の周壁部52ｒの三角形状の前後２辺をなす周壁部52ｒのうち後辺の後側周壁部52rrには、クランクケース23側の後側周壁部23Ｖｒに形成された切欠きに対向した切欠きが形成され、グロメット44を挟むようにして嵌合する（図６，図７参照）。
【００５０】
ＡＣＧカバー50には、ギヤカバー部52の三角形状に先細に形成される側壁部52ｓの後下部に、ジェネレータカバー部51の周壁部51ｒに沿って外側方（左方）にチャンネル状に膨出して送電線カバー膨出部53が形成されている。
【００５１】
送電線カバー膨出部53は、その内部がジェネレータカバー部51の周壁部51ｒで囲まれる内部空間と連通し、その連通する部分から斜め上方に、後側周壁部23Ｖｒ，52rrの切欠きに嵌合されたグロメット44の方向に延びており、３相送電線43は、この送電線カバー膨出部53内を通り、ギヤカバー部52の内側を斜め上方に延び、グロメット44を貫通する。
【００５２】
したがって、３相送電線43は、ＡＣジェネレータ40のインナステータ42の左側面の斜め後上部から上方に延出してからグロメット44を貫通するまで、送電線カバー膨出部53およびギヤカバー部52により覆われる。
【００５３】
図６を参照して、ＡＣＧカバー50のギヤカバー部52の後側周壁部52rrの下部に、クランク角センサ45（図４、図８参照）が嵌挿されるセンサ嵌挿筒部54が形成されている。
センサ嵌挿筒部54は、送電線カバー膨出部53の後方に、送電線カバー膨出部53に連続して形成されている。
【００５４】
センサ嵌挿筒部54には、クランク軸22の回転中心軸に直交する斜め上方向に指向した嵌挿孔54ｈが形成されており、嵌挿孔54ｈの上端が外部に開口し、下端がＡＣＧカバー50の内側に開口している。
センサ嵌挿筒部54の上端開口端面54ａは、後斜め上方に向いている。
【００５５】
このセンサ嵌挿筒部54に前記クランク角センサ45が嵌挿される。
クランク角センサ45は、近接センサであり、図８に示すように、円筒状ケース45ｃの先端に検出部45ｓを備え、反対の基端部に接続キャップ46が被せられ、円筒状ケース45ｃの接続キャップ46寄りの位置にフランジ状の支持ブラケット47が嵌着されている。
【００５６】
このクランク角センサ45は、センサ嵌挿筒部54の嵌挿孔54ｈに外部から嵌挿され、上端開口端面54ａに当接した支持ブラケット47とセンサ嵌挿筒部54の上端開口端をボルト48で固着することで、ＡＣＧカバー50に取り付けられる。
【００５７】
このようにして、クランク角センサ45がＡＣＧカバー50のセンサ嵌挿筒部54に嵌挿されて取り付けられると、図４および図８に示されるように、クランク角センサ45の先端の検出部45ｓは、ＡＣジェネレータ40のアウタロータ41の、多数の被検出突起41ｔを備えた外周面に臨む。
【００５８】
クランク角センサ45は、検出部45ｓにより回転するアウタロータ41の被検出突起41ｔの近接による磁束変化を検知することで、クランク軸22の回転角度を検出する。
なお、クランク角センサ45の基端部に被せられた接続キャップ46は、クランクケース23の後側周壁部23Ｖｒの後側に配置された接続コネクタ49に嵌合されて、接続コネクタ49に信号線が接続され、クランク角センサ45の検出信号が出力される。
【００５９】
クランク角センサ45は、以上のように、ＡＣＧカバー50の３相送電線43を覆う送電線カバー膨出部53の後方に形成されるセンサ嵌挿筒部54に嵌挿され、クランク角センサ45は、図７に示されるように、送電線カバー膨出部53の後方にあって、送電線カバー膨出部53の車幅方向の最外側部（左端部）53ｅよりも車幅方向の内側（右側）に配置される。
また、センサ嵌挿筒部54に嵌挿されるクランク角センサ45は、図４に示されるように、クランク軸22のクランク軸中心Ｃｃよりも上方の高い位置に配置される。
【００６０】
内燃機関21の側面視である図４には、クランク角センサ45がセンサ嵌挿筒部54に嵌挿される方向を、クランク軸22のクランク軸中心Ｃｃを通る直線Ｌｓで示している。
同図４において、スタータモータ60のモータ出力軸61の出力軸中心Cmとクランク軸22のクランク軸中心Ｃｃとを結ぶ直線Ｌｍに対して、クランク角センサ45がセンサ嵌挿筒部54に嵌挿される方向である直線Ｌｓは、鋭角度をなしている。
【００６１】
図２を参照して、内燃機関21は、下側クランクケース23Ｌの左側壁におけるクランク軸22とカウンタ軸33との間の下方に、水ポンプ80が設けられており、シリンダヘッド25の後側壁の左側にサーモスタット81が設けられている。そして、内燃機関21のシリンダヘッド25の前方には、ラジエータ82が配置されている。
【００６２】
図２ないし図４を参照して、水ポンプ80には、その吸入ポートにラジエータ82から延出するラジエータ流出ホース85とサーモスタット81から延出するバイパス用ホース86が接続され、水ポンプ80の吐出ポートから上方に延出するポンプ吐出ホース87はシリンダブロック24のウォータジャケットに接続されている。
【００６３】
サーモスタット81は、シリンダヘッド25のウォータジャケットと接続されており、さらにラジエータ82との間にラジエータ流入ホース88が接続されている。
水ポンプ80から吐出されポンプ吐出ホース87を介してシリンダブロック24のウォータジャケットに流入した冷却水は、シリンダブロック24のウォータジャケットからシリンダヘッド25のウォータジャケットを循環してサーモスタット81に流入する。
【００６４】
サーモスタット81は、内燃機関21が暖機運転中は、ラジエータ82への冷却水の流通を遮断して、サーモスタット81に流入した冷却水をバイパス用ホース86に流して水ポンプ80に戻すことで、暖機を促進する。
【００６５】
暖機を終え通常運転に入ると、サーモスタット81はラジエータ82への冷却水の流通に切替えて、サーモスタット81に流入した冷却水をラジエータ流入ホース88に流してラジエータ82を流通させて、冷却水の温度を低下させ、シリンダブロック24とシリンダヘッド25の冷却を促進する。
【００６６】
この内燃機関21の冷却系における水ポンプ80から吐出される冷却水をシリンダブロック24のウォータジャケットに導くポンプ吐出ホース87は、図２および図３を参照して、水ポンプ80からＡＣＧカバー50のセンサ嵌挿筒部54に嵌挿されるクランク角センサ45よりも車幅方向外側（左側）を上方に延出している。
【００６７】
ポンプ吐出ホース87は、図３に示される側面視で、クランク角センサ45の少なくとも一部と重なる。
ポンプ吐出ホース87は、特に、クランク角センサ45のセンサ嵌挿筒部54から突出した基端部の左側方で、クランク角センサ45の基端部と側面視で重なる。
【００６８】
以上、詳細に説明した本発明に係る内燃機関の一実施の形態は、以下に記す効果を奏する。
図７に示されるように、ＡＣジェネレータ40を車幅方向の外側から覆うＡＣＧカバー50がＡＣジェネレータ40のインナステータ42から延出する３相送電線43を覆う送電線カバー膨出部53を備えており、同送電線カバー膨出部53の後方にクランク軸22の回転角度を検出するクランク角センサ45が配置されるので、部品点数を増すことなく、よって内燃機関の重量増を避けて、既存のＡＣＧカバー50の送電線カバー膨出部53によりクランク角センサ45を飛石等から保護することができる。
【００６９】
図７および図８を参照して、クランク角センサ45は、クランク軸22のクランク軸中心に向けてＡＣＧカバー50に嵌挿されて、ＡＣジェネレータ40のアウタロータ41の外周面に検出部45ｓを臨ませてＡＣＧカバー50に取り付けられるので、ＡＣＧカバー50の送電線カバー膨出部53の後方に同送電線カバー膨出部53に近づけてクランク角センサ45をコンパクトに配置することができる。
クランク角センサ45は、近接センサであり、非接触センサであるので、組付け性が良い。
【００７０】
図７に示されるように、クランク角センサ45およびセンサ嵌挿通部54は、ＡＣＧカバー50の送電線カバー膨出部53の車幅方向の最外側部53ｅよりも車幅方向の内側に配置されるので、クランク角センサ45の前方はＡＣＧカバー50の送電線カバー膨出部53により十分幅広に覆われ、前方からの飛石等からクランク角センサ45を確実に保護することができる。
【００７１】
図４に示されるように、クランク角センサ45は、クランク軸22のクランク軸中心Ｃｃよりも高い位置に配置されるので、前輪９が跳ね上げ斜め後方に飛ぶ小石等はＡＣＧカバー50が遮蔽してクランク角センサ45を保護することができる。
【００７２】
図４に示されるように、スタータモータ60のモータ出力軸61の出力軸中心Cmとクランク軸22のクランク軸中心Ｃｃとを結ぶ直線Ｌｍに対して、クランク角センサ45がセンサ嵌挿筒部54に嵌挿される方向（直線Ｌｓが指向する方向）は、鋭角度をなすので、クランク角センサ45とスタータモータ60を互いに近づけて配置することができ、内燃機関全体のコンパクト化を図ることができる。
【００７３】
図３と図４を参照して、ＡＣＧカバー50は、ＡＣジェネレータ40の外周および側方を覆うジェネレータカバー部51と減速ギヤ機構62の側方を覆うギヤカバー部52とが一体に形成されるので、ＡＣＧカバー50は一部品でＡＣジェネレータ40とともに減速ギヤ機構62も覆い、部品点数を削減することができる。
【００７４】
図３に示されるように、本内燃機関21の冷却系における水ポンプ80から吐出される冷却水をシリンダブロック24のウォータジャケットに導くポンプ吐出ホース87が、クランク角センサ45よりも車幅方向外側（左側）に配設されるので、車幅方向外側からの飛石等はポンプ吐出ホース87により略遮蔽されてクランク角センサ45を保護することができる。
【００７５】
図３に示されるように、ポンプ吐出ホース87が、側面視でクランク角センサ45の少なくとも一部と重なるので、側方からの飛石等はポンプ吐出ホース87により遮蔽されてクランク角センサを略確実に保護することができる。
【００７６】
以上、本発明に係る一実施の形態に係る内燃機関について説明したが、本発明の態様は、上記実施の形態に限定されず、本発明の要旨の範囲で、多様な態様で実施されるものを含むものである。
【００７７】
例えば、本発明の内燃機関が搭載される車両は、図示の鞍乗型の自動二輪車１に限らず、スクータ型および３輪、４輪のバギー車等、多様な鞍乗型車両であってもよい。
【符号の説明】
【００７８】
１…自動二輪車、２車体フレーム、３…ヘッドパイプ、４…メインフレーム、５…ダウンフレーム、６…シートレール、７…フロントフォーク、８…ステアリングハンドル、９…前輪、10…ピボット軸、11…リアフォーク、12…後輪、
20…パワーユニット、21…内燃機関、22…クランク軸、23…クランクケース、23W…左側軸受壁、23Wａ…円形壁部、23Ｗｂ…延出壁部、23Ｖ…周壁、23Ｖｆ…合せ面、23Ｖｒ…後側周壁部、23Ｕ…上側クランクケース、23Ｌ…下側クランクケース、24…シリンダブロック、25…シリンダヘッド、26…シリンダヘッドカバー、27…吸気管、28…排気管、31…変速機、32…メイン軸、33…カウンタ軸（出力軸）、34…出力スプロケット、35…従動スプロケット、36…駆動チェーン、
40…ＡＣジェネレータ、41…アウタロータ、41ｍ…磁石、41ｔ…被検出突起、42…インナステータ、42ｃ…発電コイル、43…３相送電線、44…グロメット、
45…クランク角センサ、45ｃ…円筒状ケース、45ｓ…検出部、46…接続キャップ、47…支持ブラケット、48…ボルト、49…接続コネクタ、
50…ＡＣＧカバー、51…ジェネレータカバー部、51ｒ…周壁部、51ｓ…側壁部、52…ギヤカバー部、52ｒ…周壁部、52ｓ…側壁部、53…送電線カバー膨出部、54…センサ嵌挿筒部、54ｈ…嵌挿孔、54ａ…上端開口端面、58…出力スプロケットカバー、
60…スタータモータ、61…モータ出力軸、62…減速ギヤ機構、63…アイドル軸、64…大径ギヤ、65…小径ギヤ、66…従動ギヤ、
80…水ポンプ、81…サーモスタット、82…ラジエータ、85…ラジエータ流出ホース、86…バイパス用ホース、87…ポンプ吐出ホース、88…ラジエータ流入ホース。
【図１】
2019049447.tif 000003
【図２】
2019049447.tif 000004
【図３】
2019049447.tif 000005
【図４】
2019049447.tif 000006
【図５】
2019049447.tif 000007
【図６】
2019049447.tif 000008
【図７】
2019049447.tif 000009
【図８】
2019049447.tif 000010
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
クランク軸（２２）が車幅方向に指向してクランクケース（２３）に軸支されることで鞍乗り型車両に横置きに搭載される内燃機関において、
前記クランク軸（２２）の前記クランクケース（２３）を貫通して突出した一方の軸端部にＡＣジェネレータ（４０）が設けられ、
前記ＡＣジェネレータ（４０）がＡＣＧカバー（５０）により車幅方向の外側から覆われ、
前記ＡＣジェネレータ（４０）から延出する送電線（４３）が、前記ＡＣＧカバー（５０）の車幅方向の外側方に膨出して形成された送電線カバー膨出部（５３）により覆われ、
前記クランク軸（２２）の回転角度を検出するクランク角センサ（４５）が、前記送電線カバー膨出部（５３）の車両前後方向における後方に配置され、
前記クランク角センサ（４５）は、近接センサであり、
前記クランク角センサ（４５）は、前記クランク軸（２２）のクランク軸中心（Ｃｃ）に向く姿勢で前記ＡＣＧカバー（５０）の内側に嵌挿され、
前記ＡＣジェネレータ（４０）は、前記クランク軸（２２）と一体に回転するアウタロータ（４１）の周方向に複数の被検出突起（４１ｔ）を備えた外周面を備え、
前記クランク角センサ（４５）は、前記アウタロータ（４１）の外周面に検出部（４５ｓ）を臨ませて、前記ＡＣＧカバー（５０）に取り付けられることを特徴とする内燃機関。
【請求項２】
（削除）
【請求項３】
前記クランク角センサ（４５）は、前記送電線カバー膨出部（５３）の車幅方向の最外側部（５３ｅ）よりも車幅方向の内側に配置されることを特徴とする請求項１記載の内燃機関。
【請求項４】
前記クランク角センサ（４５）は、前記クランク軸（２２）のクランク軸中心（Ｃｃ）よりも高い位置に配置されることを特徴とする請求項１または請求項３記載の内燃機関。
【請求項５】
スタータモータ（６０）が、そのモータ出力軸（６１）を前記クランク軸（２２）に平行にして前記クランクケース（２３）に取り付けられ、
前記クランク角センサ（４５）が前記ＡＣＧカバー（５０）に嵌挿される方向（Ｌｓ）は、前記クランク軸（２２）のクランク軸中心（Ｃｃ）と前記モータ出力軸（６１）の出力軸中心（Ｃｍ）とを結ぶ直線（Ｌｍ）に対して鋭角度をなすことを特徴とする請求項４記載の内燃機関。
【請求項６】
前記モータ出力軸（６１）と前記クランク軸（２２）との間に回転を減速して伝達する減速ギヤ機構（６２）が設けられ、
前記ＡＣＧカバー（５０）は、前記減速ギヤ機構（６２）を覆うカバー部分（５２）も一体に形成されることを特徴とする請求項５記載の内燃機関。
【請求項７】
前記内燃機関（２１）の冷却系の少なくとも１本の冷却水ホース（８７）が、前記クランク角センサ（４５）よりも車幅方向外側に配設されることを特徴とする請求項１および請求項３ないし請求項６のいずれか１項記載の内燃機関。
【請求項８】
前記冷却水ホース（８７）が、側面視で前記クランク角センサ（４５）の少なくとも一部と重なることを特徴とする請求項７記載の内燃機関。
【国際調査報告】
2019049447.tif 000011
2019049447.tif 000012
2019049447.tif 000013
2019049447.tif 000014